(57)【要約】  本発明は、低騒音空気圧刈り器の駆動構造に関し、また、本発明の目的は、圧縮空気を使用してカット櫛を駆動させることである。本発明は、本体と、本体の前側に取り付けられるカット櫛と、カット櫛を動作させるために本体の内側に取り付けられる駆動手段とを含む。本発明において、本体の内側には、カット櫛を駆動手段から分離するために駆動区画室が本体の中心部に形成され、駆動区画室を取り囲み且つ本体の内壁を形成するように換気チャンバが形成される。駆動区画室および換気チャンバは、貫通孔の上側に位置し且つ排気パイプに接続される貫通孔によって接続される。【選択図】  図２
2010511473.tif 000002
【特許請求の範囲】
【請求項１】
圧縮空気を使用する刈り器の駆動構造であって、前記刈り器が、本体と、前記本体の前側に位置されるカット櫛と、前記カット櫛を駆動させるために前記本体内に取り付けられる駆動手段とを有し、前記駆動手段が、少なくとも１つのロータと、前記ロータの中心を通る回転軸と、前記ロータの下部に位置されて傾斜されるように取り付けられるノズルと、前記ノズルと接続されて前記本体の外側へと延びる供給パイプと、延在された前記パイプに対して圧縮空気を供給するためのコンプレッサとを含み、前記本体の内側には、前記カット櫛を前記駆動手段から分離するために駆動区画室が前記本体の中心部に形成され、前記駆動区画室を取り囲み且つ前記本体の内壁を形成するように換気チャンバが形成され、前記駆動区画室および前記換気チャンバが、貫通孔の上側に位置され且つ排気パイプに接続される貫通孔によって接続され、前記カット櫛が位置される方向に取り付けられる１つの前記ロータの半径が、前側に位置される他のロータの半径よりも小さいことを特徴とする、圧縮空気を使用する刈り器の駆動構造。
【請求項２】
前記回転軸が、前記駆動区画室の上側壁および下側壁に対してベアリングによって取り付けられる請求項１に記載の圧縮空気を使用する刈り器の駆動構造。
【発明の詳細な説明】
【技術分野】
【０００１】
[1]本発明は、刈り器の駆動構造に関し、特に、使用時に低騒音で髪の毛または口髭をカットするために圧縮空気を使用して刈り器のカット櫛を駆動させる低騒音刈り器の駆動構造に関する。
【背景技術】
【０００２】
[2]一般に、刈り器は、カット櫛を往復作動させることによって口髭または顎髭をカットする装置である。カット櫛は、刈り器の本体内に取り付けられるモータまたはリニアアクチュエータなどの駆動手段によって駆動される。
【０００３】
[3]一般に、刈り器内に取り付けられる駆動手段は、印加電力によって作動される。駆動手段として使用されるモータまたはリニアアクチュエータは繰り返し連続的に使用されるため、刈り器の本体の内側が加熱されて、本体の温度が高くなる。
【０００４】
[4]刈り器が繰り返し使用されると、加熱されたモータまたはリニアアクチュエータが本体の温度を高め、その高められた温度が刈り器の電気接続部を短絡させるという問題がある。
【０００５】
[5]また、加熱されたモータまたはリニアアクチュエータは、長期間にわたって使用されるにつれて騒音を出す。したがって、刈り器が理髪店または美容院において使用されると、理髪店または美容院において刈り器が騒音を出す。
【発明の概要】
【発明が解決しようとする課題】
【０００６】
[6]したがって、本発明は、前述した問題を解決するために発明される。本発明の目的は、熱を発生させる電力によって動作されず低騒音を実現するために圧縮空気によって動作される低騒音刈り器の駆動構造を提供することである。
【課題を解決するための手段】
【０００７】
[7]本発明の１つの好ましい実施形態では、前述した問題を解決するために、空気圧刈り器の駆動構造が刈り器の本体に多段ロータおよびノズルを備える。ノズルは、高圧縮空気をロータの回転方向へ排出するためのものである。
【０００８】
[8]本発明で使用されるロータおよびノズルは、駆動区画室内に取り付けられる。駆動区画室を取り囲む換気チャンバが本体の内側に形成される。
【０００９】
[9]本発明の他の目的および効果は以下の説明から明確に理解され、また、好ましい実施形態を説明するための詳細な説明および実施例が本発明の範囲を限定するように理解されるべきではない。
【発明の効果】
【００１０】
[10]本発明に係る低騒音空気圧刈り器の駆動構造により、熱を発生させる電気エネルギが必要とされず、低騒音を達成することができる。また、圧縮空気によって作動される低騒音刈り器の駆動構造は、美容院において騒音を低減するために提供される。刈り器は簡単なロータ構造によって構成されるため、破損の可能性を著しく減らすことができ、刈り器の信頼性を著しく高めることができる。
【図面の簡単な説明】
【００１１】
[11]本発明の上記目的および他の利点は、添付図面に関連する本発明の好ましい実施形態を詳しく説明することによって更に明らかになる。
【００１２】
【図１】本発明に係る刈り器の使用状態を示す図である。
【図２】本発明に係る刈り器の内部構造を示す斜視図である。
【図３】駆動手段が取り付けられた本発明に係る本体の内側の断面図である。
【図４】本発明に係るロータの構造を示す図である。
【発明を実施するための形態】
【００１３】
[25]本発明によれば、刈り器の本体の前側にカット櫛が取り付けられ、また、カット櫛を作動させるための駆動手段が本体内に取り付けられる。
【００１４】
[26]刈り器の駆動構造は、本体の内側において、カット櫛を駆動手段から分離するために駆動区画室が本体の中心部に形成され、駆動区画室を取り囲み且つ本体の内壁を形成するように換気チャンバが形成され、駆動区画室および換気チャンバが、貫通孔の上側に位置し且つ排気パイプに接続される貫通孔によって接続される、ことによって特徴付けられる。
【００１５】
[27]また、駆動手段は、少なくとも１つのロータと、ロータの中心を通る回転軸と、ロータの下部に位置されて傾斜されるように取り付けられるノズルと、ノズルと接続されて本体の外側へと延びる供給パイプと、延在されたパイプに対して圧縮空気を供給するコンプレッサとによって特徴付けられる。
【００１６】
[28]好ましくは、本発明は、軸方向において、カット櫛が位置される方向に取り付けられる１つのロータの半径が、前側に位置される他のロータの半径よりも小さいことを特徴とする。
【００１７】
[29]また、本発明は、ロータが蛇形状ブレードによって形成されることを特徴とする。
【００１８】
[30]更に、本発明は、回転軸が上側および下側に対してベアリングによって取り付けられることを特徴とする。
【００１９】
[31]以下、添付図面を参照して、本発明の好ましい実施形態を詳しく説明する。図面の全体にわたって、機能的に同じ部分または類似の部分に関して同じ参照符号が使用される。
【００２０】
[32]図１は、本発明に係る刈り器の使用状態を示す図である。図２は、本発明に係る刈り器の内部構造を示す斜視図、図３は、駆動手段が取り付けられた本発明に係る本体の内側の断面図、また、図４は、本発明に係るロータの構造を示す図である。
【００２１】
[33]図１〜図４を参照すると、空気圧刈り器の駆動構造は、本体１０と、本体１０の前側に位置されるカット櫛１２と、カット櫛１２を駆動させるために本体１０内に取り付けられる駆動手段２０とによって形成される。刈り器は従来の刈り器１００に適用できる。
【００２２】
[34]駆動手段２０、および、髪の毛、口髭、または、顎髭をカットするために駆動手段２０によって駆動されるカット櫛１２は、本体１０内に取り付けられる。
【００２３】
[35]本体１０の内側には、カット櫛１２と駆動手段２０とを互いに分離するために駆動区画室１４が本体１０の軸方向に沿って取り付けられる。ここで、軸方向とは、刈り器１００の長さ方向を意味する。
【００２４】
[36]駆動区画室１４は、特定の空間を画成する換気チャンバ１６によって取り囲まれる。換気チャンバ１６は本体１０の内壁を形成する。換気チャンバは、駆動手段２０が作動されるときに防音の役目を果たす。
【００２５】
[37]更に、本発明において、駆動区画室１４の内側に取り付けられる駆動手段２０は、少なくとも１つのロータ２２と、ロータ２２の中心を通る回転軸２４と、ロータ２２の下部に位置されて傾斜されるように取り付けられるノズル２６と、ノズル２６と接続されて本体１０の外側へと延びる供給パイプ２８と、延在されたパイプ２８に対して圧縮空気を供給するコンプレッサ３０とによって構成される。
【００２６】
[38]本発明に係る多数のロータが軸方向に沿って連続して取り付けられる。１つの実施形態によれば、３つのロータが取り付けられることが好ましい。
【００２７】
[39]より好ましくは、カット櫛２２が位置される方向に取り付けられる１つのロータ２２の半径は、前側に位置される他のロータ２２の半径よりも小さい。
【００２８】
[40]最も好ましくは、本発明に係るロータ２２のブレード２２ａは、一定の傾きを有するように蛇形状として形成される。直前で説明したように、軸方向に供給される圧縮空気は、蛇形状ブレード２２ａのため、特定の損失を伴うことなくブレード２２ａに衝突してロータ２２を回転させる。すなわち、排気圧の圧縮空気が蛇形状ブレード２２ａの内面に沿って流れると、排気圧を回転軸２４へ十分に伝えることができる。
【００２９】
[41]本発明では、ロータ２２が回転軸２４によって支持され、また、回転軸２４が駆動区画室１４の側壁１４ａ上にベアリング２４ａを介して回転可能に支持される。
【００３０】
[42]回転軸２４はカット櫛１２に接続される。回転軸は、韓国特許公開第２００５−００２１９００号の“散髪器の振動防止構造”および韓国登録特許第０３１６１２７号の“円形かみそり刃を用いた自動往復かみそり”に記載されたモータの動作と同じ動作を行なう。
【００３１】
[43]前述したように、本発明は、回転軸２４に接続されたロータ２２の下部に位置されて取り付けられるノズル２６を含む。ノズル２６は、蛇形状ブレード２２ａの内面から１００°〜１６０°を成すように取り付けられることが好ましい。ノズル２６がそのような位置を有するように取り付けられると、圧縮空気がブレード２２ａの内面に衝突し、その衝突によってブレード２２ａが回転される。前述したように、本発明では、蛇形状ブレード２２ａに衝突する圧縮空気が内面に沿って上方へ流れ、流れる圧縮空気がロータ２２のブレード２２ａの上側へと運ばれる。したがって、ブレード２２の回転力を増大させることができる。
【００３２】
[44]ノズル２６は、圧縮空気を伝える供給パイプ２８に対して接続される。供給パイプ２８は、換気チャンバ１６を通過して本体１０の外側へと延びる。
【００３３】
[45]本発明において、圧縮空気は、外部に設置された従来のコンプレッサ３０から供給される。コンプレッサ３０は、一般に、騒音を最小限に抑えるために美容院の外部に設置される。コンプレッサは、本発明に係る刈り器１００に対して供給するための圧縮空気のみを作る。
【００３４】
[46]本発明によれば、コンプレッサ３０から供給される圧縮空気は、ロータをスムーズに回転させるためにロータ２２を回転させた後、外部へ素早く排気されるべきである。
【００３５】
[47]ロータをスムーズに回転させるため、駆動区画室１４には、ロータ２２が設けられた駆動区画室１４を換気チャンバ１６と連通させるための貫通孔４０が形成される。貫通孔１４は、ロータ２２が位置する駆動区画室１４の側壁１４ａの上側に形成されることが好ましい。
【００３６】
[48]排気パイプ５０が、貫通孔４０に接続されて、換気チャンバ１６を通り抜け、外部へと延びている。そのような構成では、排気パイプがロータ２２を回転させた後に圧縮空気を外部へ排気する。
【００３７】
[49]圧縮空気を急速に排気するため、外部へと延在される排気パイプ５０の一端を吸引ポンプに取り付けることができるのが好ましい。
【００３８】
[50]前述した構成では、本発明が圧縮空気を使用するため、本発明に係る刈り器１００を使用する場合にモータによって引き起こされる騒音を減少させることができる。したがって、美容院における騒音を低減させることができる。
【００３９】
[51]最も実用的で好ましい実施形態であると現在考えられるものに関連してこの発明を説明してきたが、本発明は、開示された実施形態に限定されず、それどころか、添付の特許請求の範囲の思想および範囲内に含まれる様々な変形例および等価な構成に及ぶことを意味するものであることは言うまでもない。
【符号の説明】
【００４０】
１０…本体、１２…カット櫛、２０…駆動区画室、１６…換気チャンバ、２０…駆動手段、２２…ロータ、２４…回転軸、２８…供給パイプ、３０…コンプレッサ、４０…貫通孔、５０…排気パイプ
【図１】
2010511473.tif 000003
【図２】
2010511473.tif 000004
【図３】
2010511473.tif 000005
【図４】
2010511473.tif 000006
【国際調査報告】
2010511473.tif 000007
2010511473.tif 000008